(57)【要約】【課題】  タンク内において蓄糞の固まりを均等にほぐすことのできる蓄糞の醗酵装置における攪拌羽根を提供する。【解決手段】  タンクにその中に投入された蓄糞を醗酵しやすくほぐすよう攪拌羽根が内装された蓄糞の醗酵装置において、タンクに軸承される回転軸にその長手位置および放射角度を変えながら多数の羽根を突設するとともに、回転軸の長手の中間部を境に羽根を両群に分けて、一群の羽根と他群の羽根との捩じり角度を右ネジに沿った角度と左ネジに沿った角度に互いに相違させて設定した。【選択図】    図１
2005279602.tif 000002
【特許請求の範囲】
【請求項１】
タンクにその中に投入された蓄糞を醗酵しやすくほぐすよう攪拌羽根が内装された蓄糞の醗酵装置において、タンクに軸承される回転軸にその長手位置および放射角度を変えながら多数の羽根を突設するとともに、回転軸の長手の中間部を境に羽根を両群に分けて、一群の羽根と他群の羽根との捩じり角度を右ネジに沿った角度と左ネジに沿った角度に互いに相違させて設定したことを特徴とする蓄糞の醗酵装置における攪拌羽根
【請求項２】
両群の羽根をそれぞれ長手板状に形成するとともに、回転方向の後退側端に回転軸の長手中間方向に向けて屈折する掻部を形成し、掻部とともに長さ中途から先端に順次幅狭く形成したことを特徴とする請求項１記載の蓄糞の醗酵装置における攪拌羽根。
【発明の詳細な説明】
【技術分野】
【０００１】
この発明は、牛、豚、鶏等の蓄糞を攪拌しながら醗酵させる醗酵装置における攪拌羽根に関する。
【背景技術】
【０００２】
蓄糞をそのまま肥料として施すと、土中で発生した醗酵熱により根腐れや種腐れが生じて作物が育たないことから、醗酵させ熟成したものが使用に供される。しかし、蓄糞を放置したままであっては醗酵に時間がかかるだけでなく環境を汚染することから、タンク内で攪拌しながら醗酵を促進する醗酵装置が用いられる。
【０００３】
タンク内で攪拌が必要とされるのは、醗酵に活躍する好気性菌に酸素と水を必要なだけ十分に与えるためで、従来の醗酵装置は、このために円筒形のタンク内に攪拌羽根が設けられる。これについては、縦型と横型とがあり、いずれの場合も、回転軸にその長手方向に順次羽根を突設するとともに、各羽根に一方向に捩じる角度が設けられる。
【０００４】
攪拌羽根は、一定時間毎に作動し、縦型であると蓄糞を上に掻き上げ、横型であると一方向に掻いてから逆方向に掻くことにより、タンク内における蓄糞に酸素と水を均等に配分する作業が行われる。しかし、特に、横型であると、一方向に蓄糞を片寄らせてから他方向に片寄らせることになるため、蓄糞をタンクに均等化させて攪拌作業を終わらせることが非常に難しく、タンクの何れか一端に蓄糞を片寄った不均衡な状態で醗酵に臨むため、醗酵が均等に進まない結果、醗酵の効率が良くなかった。
【発明の開示】
【発明が解決しようとする課題】
【０００５】
この発明は、上記のような実情に鑑みて、タンク内において蓄糞の固まりを均等にほぐすことのできる蓄糞の醗酵装置における攪拌羽根を提供することを課題とした。
【課題を解決するための手段】
【０００６】
上記の課題を解決するために、この発明は、タンクにその中に投入された蓄糞を醗酵しやすくほぐすよう攪拌羽根が内装された蓄糞の醗酵装置において、タンクに軸承される回転軸にその長手位置および放射角度を変えながら多数の羽根を突設するとともに、回転軸の長手の中間部を境に羽根を両群に分けて、一群の羽根と他群の羽根との捩じり角度を右ネジに沿った角度と左ネジに沿った角度に互いに相違させて設定したことを特徴とする蓄糞の醗酵装置における攪拌羽根を提供するものである。
【０００７】
蓄糞の醗酵装置における攪拌羽根を上記のように構成したから、回転軸を一方向に（以下正回転という）回転すると、捩じり角度が異なる左右の羽根により蓄糞が中間部に押し固められ、他方向（以下逆回転という）に回転すると、押し固められた蓄糞が左右に分けてほぐされる。したがって、左右に分けられる回転を止める時点の設定によって、タンク内の蓄糞が均等にほぐされることになる。なお、攪拌作業は例えば１時間毎というように原則として時間毎に行われるが、その際に正逆の回転を一サイクルとして、一サイクルであっても良いし、複数のサイクルを一度に繰り返しても良い。
【０００８】
また、羽根に掻部を設けると（請求項２）、正転により中央に蓄糞を押し固めやすく、また逆転によりほぐす作用も果たすことになる。
【発明の効果】
【０００９】
以上説明したように、この発明によれば、タンク内の蓄糞が均等にほぐされることにより醗酵が促進され、醗酵程度と水分量の均等化も促進されるため、非常に良質の蓄糞肥料を効率的に生産できるという優れた効果がある。
【発明を実施するための最良の形態】
【００１０】
以下に、この発明の実施の形態を図面に基づいて説明する。
【００１１】
蓄糞の醗酵装置は、敷き藁が混入する牛糞を堆肥化することを主な目的として開発したもので、基台１によって全体が一体化されており（図１ないし図３）、その上に、蓄糞を上から投入するタンク３と、タンク３内の攪拌羽根５を回転駆動するモーター７と、タンク３内に醗酵に要する空気を吹き込むリングブロアー９と、制御盤１１等が搭載される。
【００１２】
タンク３は、下半が半円のＵ字形の断面構造であって、一端と中間の一側下端部には開閉蓋付きの排出口１２，１２が設けられ、両端の端面壁１３，１３に攪拌羽根５の回転軸１５が軸架される。Ｕ字形断面の上端に上蓋１４が自動的に開閉するように設けられる。また、回転軸１５にはスプロケット３０が取り付けられ、モーター７の動力がベルト８を介して回転軸１５に伝達される。
【００１３】
攪拌羽根５は、回転軸１５に等間隔に又はほゞ等間隔に羽根１６，１６，・・及び１７，１７，・・を、順次一定角度毎の放射方向に突設したものであるが（図１，図４，図６）、回転軸１５の中間部を境にして一群の羽根１６，１６，・・が仮想の右ネジ２１に沿った捩じり角度αに、他の一群の羽根１７，１７，・・が左ネジ２２に沿った捩じり角度βにそれぞれ傾斜させてある（図５）。ただし、各群の羽根１６，１６，・・及び１７，１７，・・が同一螺旋２１，２２の上にあるものとするとは限らない。
【００１４】
羽根１６，１７の形状については（図５，図７，図８）、回転により蓄糞に捩じり角度α，βで切り込む羽根主体が長手板材であって、一側端に掻部１８がＬ字にほゞ直角に形成され、全体が中途から先端に順次幅狭く形成される。また、基端には回転軸１５に溶接して取り付けるために円弧の切欠２３が設けられている。そして、正回転により掻部１８が後退側となるように向きを設定することにより回転軸１５に溶接される（図５）。また、両群の羽根のうち、中間の一対の羽根１６，１７については先端にタンク３の内周にすれすれに回動する端刃２０，２０が形成されている。
【００１５】
回転軸１５が正回転すると、両群の羽根１６，１６，・・及び１７，１７，・・は、両方の異なる捩じり角度α，βから、蓄糞をタンク３の中間へ（Ｐ方向へ）寄せる働きをなし、この時に、回転の後退側に有する掻部１８が蓄糞をさらに中間に寄せる作用をなす。
【００１６】
こうして中間に蓄糞を固まらせてから、逆回転に臨むと、蓄糞が両端側に（逆Ｐ方向へ）分散させる働きをなし、この際に、掻部１８が切り込みの先になるため、蓄糞を一層ほぐすことになる。こうして中央の固まりを分散させることにより蓄糞が均等にほぐされることになり、固まりにより水分等が均一化してその状態において水分の均一化も促進される。なお、捩じり角度α，βは、大きければモーター７に過度の負荷がかかるので、例えば５度から１５度程度とする。
【図面の簡単な説明】
【００１７】
【図１】この発明に係る蓄糞の醗酵装置を上蓋を取って示す平面図である。
【図２】同蓄糞の醗酵装置の正面図である。
【図３】同蓄糞の醗酵装置の側面図である。
【図４】この発明に係る攪拌羽根の正面図である。
【図５】図４のＡ−Ａ線矢視の拡大断面図である。
【図６】図４のＢ−Ｂ線矢視の拡大断面図である。
【図７】この発明に係る攪拌羽根の羽根の正面図である。
【図８】同羽根の底面図である。
【符号の説明】
【００１８】
３  タンク
５  攪拌羽根
１５  回転軸
１６，１７  羽根
１８  掻部
２１  仮想の右ネジ
２２  仮想の左ネジ
【図１】
2005279602.tif 000003
【図２】
2005279602.tif 000004
【図３】
2005279602.tif 000005
【図４】
2005279602.tif 000006
【図５】
2005279602.tif 000007
【図６】
2005279602.tif 000008
【図７】
2005279602.tif 000009
【図８】
2005279602.tif 000010